(57)【特許請求の範囲】
【請求項１】
少なくとも１つの回線を収容すると共に複数の電話機が接続され、前記複数の電話機の発着信を制御する通信装置と、
前記複数の電話機のうちの少なくとも一部の電話機にそれぞれ対応して設けられ、外部に接続されたスイッチにより前記電話機の前記回線の優先使用が設定される接点と、
前記接点で優先される電話機からの発信要求時に前記回線が使用中の場合に、前記回線を強制切断し、前記接点で優先される電話機からの発信要求を優先発呼するように制御する制御手段と、
を備え、
前記接点には、予め優先順位が決められ、前記スイッチにより複数の電話機に同時に前記回線の優先使用が設定された場合には、優先順位の高い接点に対応する電話機に前記回線の優先使用が設定されることを特徴とする通信システム。
【請求項２】
前記通信装置に非常通報時にオン又はオフする非常通報用接点を有する非常通報装置が接続され、前記非常通報用接点により前記非常通報装置から非常通報が発信された場合には、前記非常通報装置に対応する前記接点が連動して動作し、前記制御手段は前記非常通報装置からの非常通報を優先発呼するように制御することを特徴とする請求項１に記載の通信システム。
【請求項３】
前記通信装置に非常通報の際に前記接点を動作させて非常通報を発信する非常通報装置が接続され、前記非常通報装置から非常通報が発信された場合には、前記非常通報装置に対応する前記接点が動作し、前記制御手段は前記非常通報装置からの非常通報を優先発呼するように制御することを特徴とする請求項１に記載の通信システム。
【請求項４】
前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されていない場合には、前記回線を使用中の電話機をビジー処理し、前記発信要求の電話機の発信を優先発呼することを特徴とする請求項１乃至３のいずれか１項に記載の通信システム。
【請求項５】
前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されている場合には、前記発信要求の電話機をビジー処理し、前記回線を使用中の電話機の通話を継続することを特徴とする請求項１乃至３いずれか１項に記載の通信システム。
【請求項６】
前記発信要求の電話機に前記回線の優先使用が設定されていない場合、当該発信要求の電話機をビジー処理し、前記回線を使用中の電話機の通話を継続することを特徴とする請求項４又は５に記載の通信システム。
【請求項７】
前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、前記発信要求の電話機の優先順位が前記回線を使用中の電話機の優先順位より高い場合には、前記回線を使用中の電話機をビジー処理し、前記発信要求の電話機の発信を優先発呼することを特徴とする請求項１乃至３のいずれか１項に記載の通信システム。
【請求項８】
前記発信要求の電話機に前記回線の優先使用が設定されていない場合、当該発信要求の電話機をビジー処理し、前記回線を使用中の電話機の通話を継続することを特徴とする請求項７に記載の通信システム。
【請求項９】
少なくとも１つの回線を収容すると共に複数の電話機が接続され、前記複数の電話機の発着信を制御する通信装置と、
前記複数の電話機のうちの少なくとも一部の電話機にそれぞれ対応して設けられ、外部に接続されたスイッチにより前記電話機の前記回線の優先使用が設定される接点と、を有する通信システムの制御方法であって、
前記接点で優先される電話機からの発信要求時に前記回線が使用中の場合に、前記回線を強制切断し、前記接点で優先される電話機からの発信要求を優先発呼するように制御し、
前記接点には、予め優先順位を決め、前記スイッチにより複数の電話機に同時に前記回線の優先使用が設定された場合には、優先順位の高い接点に対応する電話機に前記回線の優先使用を設定することを特徴とする通信システムの制御方法。
【発明の詳細な説明】
【技術分野】
【０００１】
本発明は、電話機の通信を制御する通信システム及びその制御方法、特に、回線の切断制御に関するものである。
【背景技術】
【０００２】
一般に、１つの電話回線が収容され、複数の電話機が接続された通信装置では、１つの電話機が電話回線を使用している場合、他の電話機による電話回線の使用は制限される。そのため、１つの電話機が電話回線を使用中に他の電話機が電話回線を使用する場合には、現在使用している電話回線を強制切断する必要がある。
【０００３】
強制切断の判定を行うためには、例えば、装置のシステムデータに暗証番号等を設定し、発信する電話番号にその暗証番号が付加されている場合には、他の電話機が電話回線を使用中でもその電話回線を強制切断する。また、予め装置のデータベースに強制切断する電話番号を登録し、電話機から発信があった場合に、他の電話機が電話回線を使用中であればそのデータベースを参照して発信した電話番号が強制切断する電話番号かを判断する。発信した電話番号が強制切断する電話番号であれば、現在使用中の電話回線を強制切断する。
【０００４】
一方、特許文献１には通信回線が全て使用中の状態において発信要求の電話機の相手先電話番号が予め登録された緊急連絡先の場合には、現在使用中の回線を強制切断して緊急連絡先に発呼することが記載されている。また、特許文献２には、例えば、火災等を通報するための緊急通報装置から通報があった場合には、現在使用中のチャンネルを切断して空きチャンネルを作り、予定の電話番号に通報することが記載されている。更に、特許文献３には、火災、ガス漏れ等を通報する緊急通報装置が正常であることを定時通報することが記載されている。
【先行技術文献】
【特許文献】
【０００５】
【特許文献１】特開平０７−１０７２０６号公報
【特許文献２】特開２００１−９４６８３号公報
【特許文献３】特開２００４−１４７８０号公報
【発明の概要】
【発明が解決しようとする課題】
【０００６】
上述のように１つの電話機が電話回線を使用中に他の電話機が電話回線を使用する場合には、現在使用している電話回線を強制切断する必要があるが、電話回線の強制切断を判定するためには、例えば、データベースに強制切断すべき電話番号かを登録する等、事前に装置に登録する必要がある。
【０００７】
また、上記通常の技術では、発信先電話番号が予め登録された緊急連絡先の場合には現在使用中の回線を強制切断して緊急連絡先に発呼することが特許文献１に記載され、緊急通報機から発信があった場合には回線を強制切断して予定の電話番号に通報することが特許文献２に記載されている。
【０００８】
一方、特許文献３には、火災、ガス漏れ等を通報する緊急通報装置が正常であることを定時通報することが記載されているが、上記通常の技術では特許文献３等に記載の緊急通報機から緊急通報された場合、回線を強制切断して緊急通報機からの通報を行うことは可能であるものの、緊急通報機からの定時通報のように緊急性のない発信に対しても回線を強制切断してしまう課題があった。
【０００９】
本発明の目的は、事前に強制切断すべき電話機等を登録する必要がなく、簡単に回線優先使用の電話機の設定を行うことが可能な通信システム及びその制御方法を提供することにある。
【課題を解決するための手段】
【００１０】
本発明に係る通信システムは、少なくとも１つの回線を収容すると共に複数の電話機が接続され、前記複数の電話機の発着信を制御する通信装置と、前記複数の電話機のうちの少なくとも一部の電話機にそれぞれ対応して設けられ、外部に接続されたスイッチにより前記電話機の前記回線の優先使用が設定される接点と、前記接点で優先される電話機からの発信要求時に前記回線が使用中の場合に、前記回線を強制切断し、前記接点で優先される電話機からの発信要求を優先発呼するように制御する制御手段と、を備え、前記接点には、予め優先順位が決められ、前記スイッチにより複数の電話機に同時に前記回線の優先使用が設定された場合には、優先順位の高い接点に対応する電話機に前記回線の優先使用が設定されることを特徴とする。
【００１１】
また、本発明に係る通信システムの制御方法は、少なくとも１つの回線を収容すると共に複数の電話機が接続され、前記複数の電話機の発着信を制御する通信装置と、前記複数の電話機のうちの少なくとも一部の電話機にそれぞれ対応して設けられ、外部に接続されたスイッチにより前記電話機の前記回線の優先使用が設定される接点と、を有する通信システムの制御方法であって、前記接点で優先される電話機からの発信要求時に前記回線が使用中の場合に、前記回線を強制切断し、前記接点で優先される電話機からの発信要求を優先発呼するように制御し、前記接点には、予め優先順位を決め、前記スイッチにより複数の電話機に同時に前記回線の優先使用が設定された場合には、優先順位の高い接点に対応する電話機に前記回線の優先使用を設定することを特徴とする。
【発明の効果】
【００１２】
本発明によれば、電話回線が使用中でも接点で優先される電話機から発信要求があった場合には、電話回線を強制切断して発信要求を優先発呼するように制御することにより、優先する電話機からの緊急発信時等に確実に発呼することが可能となる。その際、外部のスイッチにより簡単に無電圧接点の回線の優先使用を設定できるため、電話番号等を変更・追加する際に装置の設定を変更する必要がなく、メンテナンスの回数を減らすことが可能となる。
【図面の簡単な説明】
【００１３】
【図１】本発明に係る通信システムの第１の実施形態を示すブロック図である。
【図２】電話機Ｂ１２０による電話機Ａ１１０の強制切断の例を説明するシーケンス図である。
【図３】電話機Ｂ１２０による電話機Ａ１１０の強制切断の例を説明するフローチャートである。
【図４】電話機Ａ１１０による電話機Ｂ１２０の強制切断例を説明するシーケンス図である。
【図５】電話機Ａ１１０による電話機Ｂ１２０の強制切断例を説明するフローチャートである。
【図６】緊急性の通話が重なった場合、電話機Ａ１１０使用中の強制切断しない例を説明するシーケンス図である。
【図７】緊急性の通話が重なった場合、電話機Ｂ１２０使用中の強制切断例を説明するシーケンス図である。
【図８】本発明の通信システムの第２の実施形態を示すブロック図である。
【発明を実施するための形態】
【００１４】
次に、発明を実施するための形態について図面を参照して詳細に説明する。
【００１５】
（第１の実施形態）
図１は本発明に係る通信システムの第１の実施形態を示すブロック図である。図中１００は通信制御を行う通信装置であり、電話機Ａ１１０と電話機Ｂ１２０が接続されている。図１では代表的に電話機Ａ１１０と電話機Ｂ１２０を示しているが、通信装置１００には２台以上の電話機が接続されている。通信装置１００は電話交換機の機能を有する。
【００１６】
通信装置１００には少なくとも１つの電話回線１５０が収容（接続）されている。通信装置１００は、後述するように電話回線が全て使用中でも無電圧接点（不図示）で優先される電話機から発信要求があった場合には、電話回線を強制切断して優先発呼するように制御を行う。これについては詳しく後述するが、例えば、電話機Ａ１１０が無電圧接点で優先される電話機とし、現在、電話機Ｂ１２０が電話回線１５０を使用して通話中とする。この時、電話機Ａ１１０から発信があったとすると、現在電話機Ｂ１２０が使用中の電話回線１５０を強制切断し、電話機Ａ１１０の発信を電話機Ｂ１２０に対して優先発呼する。
【００１７】
電話機Ａ１１０及び電話機Ｂ１２０は、通信装置１００の制御により電話回線１５０を介して外部の電話機と発着信を行う。センサＡ１３０、センサＢ１４０は、通信装置１００内部の無電圧接点に接続されたスイッチであり、それぞれ電話機Ａ１１０、電話機Ｂ１２０に対応して設けられている。電話機Ａ１１０に対応する無電圧接点に接続するセンサをＡ１３０、電話機Ｂ１２０に対応する無電圧接点に接続するセンサをＢ１４０とする。
【００１８】
本願明細書では、Ａ１３０やＢ１４０をセンサと呼んでいるが、外部からオン又はオフすることで対応する電話機の回線優先使用を設定するためのスイッチである。センサＡ１３０とセンサＢ１４０には優先順位が決められ、例えば、センサＡ１３０がセンサＢ１４０より優先順位が高いものとする。
【００１９】
無電圧接点は、図１では図示していないが、複数の電話機にそれぞれ対応して通信装置１００の内部に設けられた電話回線優先使用を設定するための接点である。例えば、図１に示すセンサＡ１３０をオンすると、それに対応する無電圧接点がオンに設定され、それに対応する電話機Ａ１１０の電話回線１５０の優先使用が設定される。そのため、通信装置１００は無電圧接点で優先される電話機からの発信要求時に全ての電話回線が使用中の場合でも電話回線を強制切断し、無電圧接点で優先される電話機からの発信要求を優先発呼するように制御を行う。
【００２０】
具体的には、通信装置１００には図１に示すようにセンサＡ１３０、センサＢ１４０が接続され、これらセンサＡ１３０、センサＢ１４０は電話機Ａ１１０、電話機Ｂ１２０にそれぞれ対応して設けられている。例えば、電話機Ａ１１０に対応するセンサＡ１３０をオンにすると、電話機Ａ１１０の電話回線の優先使用が設定され、全ての電話回線が使用中でも電話回線を強制切断して電話機Ａ１１０からの発信要求を優先発呼するように制御を行う。
【００２１】
次に、本実施形態の具体的な動作を説明する。以下の動作説明では、
（１）電話機Ｂ１２０による電話機Ａ１１０の強制切断例
（２）電話機Ａ１１０による電話機Ｂ１２０の強制切断例
（３）緊急性のある通話が重なった場合の、電話機Ａ１１０使用中の強制切断しない例
（４）緊急性のある通話が重なった場合の、電話機Ｂ１２０の使用中の強制切断例、を説明する。なお、本例では、例えば、センサＡ１３０がセンサＢ１４０より優先順位が高いものとする（即ち、電話機Ａ１１０が電話機Ｂ１２０より回線使用の優先順位が高い）。
【００２２】
図２、図３は（１）の電話機Ｂ１２０による電話機Ａ１１０の強制切断の例を示す図である。図２はその場合のシーケンス図、図３はフローチャートである。図２に示すように、今、電話機Ａ１１０が電話回線１５０を使用して通話中とする。この電話機Ａ１１０の通話中にセンサＢ１４０がオンに設定され、センサＡ１３０はオフとする。この状態で、電話機Ｂ１２０がオフフックされると、図３の処理が開始され、通信装置１００内の制御回路（不図示）は以下の処理を行い、電話機Ａ１１０が使用中であるかを判定する（図３のＳ０１）。
【００２３】
電話機Ａ１１０が使用中である場合には、センサＢ１４０がオンであるかを判定し（Ｓ０２）、センサＢ１４０がオンである場合には優先順位の高いセンサＡ１３０がオンであるかを判定する（Ｓ０３）。その際、センサＡ１３０はオフであるため（Ｓ０３がＮ）、電話機Ａ１１０をビジー処理とし（Ｓ０４）、現在使用中の電話回線１５０を強制切断して開放する（Ｓ０５）。なお、ビジー処理とは、通話を終了させるための処理のことである。
【００２４】
即ち、センサＡ１３０はオフであるため電話機Ａ１１０の電話回線使用は緊急性のある通話ではなく、センサＢ１４０はオンであるため電話機Ｂ１２０の電話回線使用は緊急性のあるものと判断する。その後、電話機Ｂ１２０のダイヤル待ちとなり、電話機Ｂ１２０からのダイヤル受信後に、電話機Ｂ１２０が電話回線１５０を使用して外部の電話機と通話を行うことが可能となる。一方、Ｓ０２でセンサＢ１４０がオフの場合（Ｓ０２がＮ）、Ｓ０３でセンサＡ１３０がオンの場合には（Ｓ０３がＹ）、電話機Ｂ１２０がビジー処理となる。
【００２５】
次に、（２）の電話機Ａ１１０による電話機Ｂ１２０の強制切断例を説明する。図４はその場合のシーケンス図、図５はフローチャートである。図４に示すように、今、電話機Ｂ１２０が電話回線１５０を使用して通話中とする。この通話中にセンサＡ１３０がオンに設定され、センサＢ１４０はオフとする。
【００２６】
この状態で、電話機Ａ１１０がオフフックされると、図５の処理が開始され、図示しない通信装置１００内の図示しない制御回路は、電話機Ｂ１２０が使用中であるかを判定する（Ｓ０７）。電話機Ｂ１２０が使用中である場合にはセンサＡ１３０がオンであるかを判定する（Ｓ０８）。センサＡ１３０がオンの場合には電話機Ｂ１２０をビジー処理し（Ｓ０９）、現在使用中の電話回線１５０を強制切断して開放する（Ｓ１０）。
【００２７】
即ち、優先順位の高いセンサＡ１３０がオンであるため、電話機Ｂ１２０の電話回線使用が通常の通話、緊急性のある通話に関わらず、電話機Ａ１１０の回線使用を優先する。なお、図３ではＳ０２からＳ０３に進み、センサＡ１３０がオンかどうかを判定しているのが、図５ではＳ０３に対応するステップがなく、Ｓ０８から直接Ｓ０９に進んでいる。これは、図５の例では、センサＢ１４０の優先順位よりもセンサＡ１３０の優先順位が高いからである。
【００２８】
この後、電話機Ａ１１０のダイヤル待ちとなり、電話機Ａ１１０からのダイヤル受信後に電話回線１５０を使用して外部の電話機と通話を行うことが可能となる。なお、Ｓ０８でセンサＡ１３０がオフである場合には（Ｓ０８がＮ）、電話機Ａ１１０はビジー処理となる。
【００２９】
次に、（３）の緊急性のある通話が重なった場合（センサＡとセンサＢのオンが同時に発生した場合）の電話機Ａ１１０使用中の強制切断しない例を説明する。本例では優先順位の高い電話機Ａ１１０が先に回線を使用中とする。図６はその場合のシーケンス図である。図３と図６を用いて説明する。今、図６に示すように電話機Ａ１１０が電話回線１５０を使用して通話中とする。この時、センサＡ１３０はオンに設定され、電話機Ａ１１０による通話は緊急性のある通話である。この通話中にセンサＢ１４０がオンに設定されたとする。
【００３０】
この状態で、電話機Ｂ１２０がオフフックされると、図３の処理が開始され、図示しない制御回路は、電話機Ａ１１０が使用中かどうかを判定する（Ｓ０１）。電話機Ａ１１０が使用中の場合にはセンサＢ１４０がオンかどうかを判定し（Ｓ０２）、センサＢ１４０がオンの場合には（Ｓ０２がＹ）、センサＡ１３０がオンであるかを判定する（Ｓ０３）。
【００３１】
その際、センサＡ１３０はオンであるため（Ｓ０３がＹ）、電話機Ａ１１０の電話回線使用及び電話機Ｂ１２０からの発信は緊急性を有するが、上述のようにセンサＡ１３０の優先順位が高いため、電話機Ａ１１０の回線使用を優先する。そのため、電話機Ｂ１２０のビジー処理を行い、電話機Ａ１１０は引き続いて電話回線１５０を使用して通話を行う。
【００３２】
次に、（４）の緊急性のある通話の重なった場合（即ち、センサのオンが同時に発生した場合）の電話機Ｂ１２０使用中の強制切断例を説明する。本例では、優先順位の低い電話機Ｂ１２０が先に回線を使用中とする。図７はその場合のシーケンス図である。図５と図７を用いて説明する。今、図７に示すように電話機Ｂ１２０が電話回線１５０を使用して通話中とする。
【００３３】
センサＢ１４０はオンに設定され、電話機Ｂ１２０の通話は緊急性のある通話である。この通話中にセンサＡ１３０がオンに設定されたとする。この状態で、電話機Ａ１１０のオフフックが検出されると、図５の処理が開始され、図示しない制御回路は電話機Ｂ１２０が使用中であるかを判定する（Ｓ０７）。
【００３４】
電話機Ｂ１２０が使用中である場合には、センサＡ１３０がオンであるかを判定する（Ｓ０８）。センサＡ１３０がオンである場合には、電話機Ａ１１０の優先順位が電話機Ｂ１２０より高いため、電話機Ｂ１２０の電話回線使用が通常の通話、緊急性のある通話に関わらず、電話機Ａ１１０の回線使用を優先する。そのため、電話機Ｂ１２０のビジー処理を行い（Ｓ０９）、電話回線１５０を切断して開放する（Ｓ１０）。
【００３５】
その後、電話機Ａ１１０のダイヤル待ちとなり、電話機Ａ１１０からのダイヤル受信後に電話機Ａ１１０は電話回線１５０を使用して通話を行うことが可能となる。なお、Ｓ０８でセンサＡ１３０がオフの場合には（Ｓ０８がＮ）、電話機Ａ１１０がビジー処理となる。
【００３６】
本実施形態では、電話回線が全て使用中でも無電圧接点で優先される電話機から発信要求があった場合には、回線を強制切断して発信要求を優先発呼するように制御することにより、緊急発信時等に確実に発呼することが可能となる。また、スイッチのオン、オフにより簡単に電話機の回線優先使用を設定できるため、回線優先使用の電話番号等を変更・追加する際に、装置の設定を変更する必要がなく、メンテナンスの回数を減らすことが可能となる。
【００３７】
（第２の実施形態）
次に、本発明の第２の実施形態について説明する。図８は本発明の第２の実施形態の構成を示すブロック図である。図８では図１と同一部分には同一符号を付している。第１の実施形態では外部のスイッチのオン、オフにより無電圧接点による電話機の回線優先使用を設定する例を説明したが、第２の実施形態では通信装置１００に火災やガス漏れ等を通報する非常通報装置１６０を接続し、非常通報装置１６０から非常通報された場合には、回線が全て使用中でもその非常通報を優先発呼する例を説明する。本実施形態では、通信装置１００に接続された非常通報装置１６０の非常通報用接点に連動して通信装置１００内の無電圧接点が動くものとする。
【００３８】
例えば、特許文献３等に記載された非常通報装置１６０が通信装置１００に接続されているものとする。電話機Ａ１１０と電話機Ｂ１２０等も通信装置１００に接続されている。非常通報装置１６０が接続されている以外は図１の同様の構成であり、図８に示すように通信装置１００には少なくとも１つの電話回線１５０が接続されている。本実施形態の無電圧接点は、第１の実施形態で説明した無電圧接点と同じであり、通信装置１００内の無電圧接点は、各電話機と非常通報装置に対応して設けられている。
【００３９】
非常通報装置１６０は非常通報時にオン又はオフする非常通報用接点を持っており、例えば、この接点は非常通報の場合にはオンするものとする。非常通報装置１６０の接点がオン（例えば火災やガス漏れ等が発生）すると、通信装置１００内のそれに対応する無電圧接点が連動してオンし、非常通報装置１６０から非常通報が発信された場合には、通信装置１００は全ての電話回線が使用中でも電話回線を切断して非常通報装置１６０の非常通報を優先発呼するように制御を行う。
【００４０】
また、非常通報装置１６０は複数の接点を持っており、その中には緊急性を有する接点と緊急性を有しない接点がある。例えば、火災やガス漏れ等を通報する接点は緊急性を有し、電池電圧低下や定時通報等を通報する接点は緊急性を有しない。通信装置１００の無電圧接点は、非常通報装置１６０の緊急性を有する接点がオンになった時のみ連動して動作し、緊急性を有しない接点がオンになった時には通信装置１００の無電圧接点は動作しない。
【００４１】
そのため、通信装置１００の無電圧接点は緊急性を有する接点がオンになった時のみ連動して動作し、全ての電話回線が使用中でも電話回線を切断して非常通報を優先発呼するように制御を行う。その際、例えば、非常通報装置１６０から予め決められた所定の連絡先等に非常通報を発信する。
【００４２】
この構成では、非常通報装置１６０の非常通報用接点に連動して通信装置１００の無電圧接点が動作するため、全ての回線が使用中でも回線を強制切断して非常通報を行うことが可能となる。また、非常通報装置１６０の接点がオンしない場合には、無電圧接点が動作することはなく、通常の動作を行う。そのため、緊急性のない発信に対して回線が強制切断されることはない。
【００４３】
このように本実施形態では、非常通報装置１６０からの非常通報の際には、全ての回線が使用中でも回線を強制切断することにより、非常通報装置からの非常通報を優先発呼することができる。更に、緊急性を有する非常通報に対してのみ優先発呼するため、緊急性のない通報に対して回線が強制切断されることはない。
【００４４】
（第３の実施形態）
次に、本発明の第３の実施形態を説明する。本実施形態の構成は図８と同様であり、図８に示すように通信装置１００に同様に火災やガス漏れ等を検知して通報する非常通報装置１６０が接続され、通信装置１００には電話機Ａ１１０と電話機Ｂ１２０等が接続されている。非常通報装置１６０が接続されている以外は図１と同様であり、通信装置１００には少なくとも１つの電話回線１５０が接続されている。
【００４５】
第２の実施形態では、非常通報装置１６０からの非常通報の際に非常通報装置１６０の非常通報用接点に連動して通信装置１００内の無電圧接点が動作するのに対し、第３の実施形態では非常通報装置１６０からの非常通報の際に通信装置１００内の無電圧接点を動作させて緊急通報を発信するという点において第３の実施形態は第２の実施形態と異なっている。無電圧接点は図１等で説明したように各電話機や非常通報装置に対応して設けられている。非常通報装置１６０としては、例えば、特許文献３等に記載されたものがある。
【００４６】
本実施形態では、非常通報装置１６０は非常通報の際に通信装置１００内の無電圧接点を動作させて発信するため、非常通報装置１６０から非常通報が通信装置１００に発信されると、通信装置１００内の非常通報装置１６０に対応する無電圧接点が動作する。そのため、通信装置１００は非常通報装置１６０から非常通報が発信されると、電話回線が全て使用中でも電話回線を強制切断し、非情報通報装置１６０からの発信要求は優先発呼するように制御を行う。その際、例えば、非常通報装置１６０から予め決められた所定の連絡先等に非常通報を発信する。
【００４７】
また、非常通報装置１６０は、緊急性を有する通報と緊急性を有しない通報を発信する。例えば、火災やガス漏れ等は緊急性を有し、電池電圧低下や定時通報等は緊急性を有しない。非常通報装置１６０は緊急性を有する通報を発信する時のみ通信装置１００のそれに対応する無電圧接点を動作させ、緊急性を有しない通報の場合にはそれに対応する無電圧接点は動作させない。
【００４８】
そのため、非常通報装置１６０から緊急性を有する通報が発信された時にそれに対応する無電圧接点が動作し、通信装置１００は電話回線が全て使用中でも電話回線を強制切断して非情報通報装置１６０からの緊急通報は優先発呼するように制御を行う。一方、非常通報装置１６０から緊急性を有しない通報が発信された場合には、それに対応する無電圧接点は動作しないため通信装置１００は通常動作を行う。
【００４９】
この構成では、非常通報装置１６０は非常通報の際に対応する無電圧接点を動作させるため、非常通報装置１６０から緊急通報が発信された場合には、それに対応する無電圧接点が動作するため、全ての回線が使用中でも回線を強制切断して非常通報が可能となる。また、非常通報装置１６０から電池電圧低下や通報装置が正常であることを確認するための定時通報等の緊急性のない通報が発信された場合には、無電圧接点は動作しないため、通常の動作を行う。そのため、緊急性のない発信に対して回線が強制切断されることはない。
【００５０】
以上のように本実施形態でも、非常通報装置１６０からの非常通報の際には、全ての回線が使用中でも回線を強制切断することにより、非常通報装置からの非常通報を優先発呼することができる。更に、緊急性を有する非常通報に対してのみ優先発呼するため、緊急性のない通報に対して回線が強制切断されることはない。
【００５１】
なお、以上の実施形態では、通信装置１００に２台の電話機を接続しているが、３台以上の電話機を接続しても良い。また、通信装置１００に１つの電話回線を接続しているが、それ以上の電話回線を接続しても良い。更に、図１において、センサ（スイッチ）は必ずしも全ての電話機に必要ではない、即ち、優先使用を設定する電話機にのみセンサを設けてセンサをオンすることで電話機の回線優先使用を設定し、回線優先使用を設定しない電話機にはセンサを設けなくても良い。その場合には、回線優先使用を設定しない電話機のセンサはオフとして扱うものとする。更に、以上の実施形態では、回線の優先使用を設定する接点として無電圧接点を用いた例を示したが、有電圧接点を用いても良い。
【００５２】
また、以上の実施形態の通信システムは、ハードウェアによっても実現できるが、コンピュータをその通信システムとして機能させるためのプログラムをコンピュータがコンピュータ読み取り可能な記録媒体から読み込んで実行することによっても実現できる。また、以上の実施形態の通信システムの制御方法は、ハードウェアによっても実現できるが、コンピュータにその方法を実行させるためのプログラムをコンピュータがコンピュータ読み取り可能な記録媒体から読み込んで実行することによっても実現できる。
【００５３】
なお、上記実施形態の一部又は全部は、以下の付記のようにも記載されうるが、以下には限らない。
【００５４】
（付記１）少なくとも１つの回線を収容すると共に複数の電話機が接続され、前記複数の電話機の発着信を制御する通信装置と、
前記複数の電話機のうちの少なくとも一部の電話機にそれぞれ対応して設けられ、外部に接続されたスイッチにより前記電話機の前記回線の優先使用が設定される接点と、
前記接点で優先される電話機からの発信要求時に前記回線が使用中の場合に、前記回線を強制切断し、前記接点で優先される電話機からの発信要求を優先発呼するように制御する制御手段と、
を備えたことを特徴とする通信システム。
【００５５】
（付記２）前記複数の電話機のうち前記接点で優先される電話機以外の電話機からの発信要求時には、前記回線が全て使用中に当該電話機からの発信は優先発呼されないことを特徴とする付記１に記載の通信システム。
【００５６】
（付記３）前記接点には、予め優先順位が決められ、前記スイッチにより複数の電話機に同時に前記回線の優先使用が設定された場合には、優先順位の高い接点に対応する電話機に前記回線の優先使用が設定されることを特徴とする付記１又は２に記載の通信システム。
【００５７】
（付記４）前記接点により前記同時に複数の電話機に前記回線の優先使用が設定されている場合、前記回線の優先使用が設定されていない他の電話機の優先順位は、前記同時に回線の優先使用が設定された電話機より低いことを特徴とする付記３に記載の通信システム。
【００５８】
（付記５）前記通信装置に非常通報時にオン又はオフする非常通報用接点を有する非常通報装置が接続され、前記非常通報用接点により前記非常通報装置から非常通報が発信された場合には、前記非常通報装置に対応する前記接点が連動して動作し、前記制御手段は前記非常通報装置からの非常通報を優先発呼するように制御することを特徴とする付記１乃至４のいずれか１項に記載の通信システム。
【００５９】
（付記６）前記通信装置に非常通報の際に前記接点を動作させて非常通報を発信する非常通報装置が接続され、前記非常通報装置から非常通報が発信された場合には、前記非常通報装置に対応する前記接点が動作し、前記制御手段は前記非常通報装置からの非常通報を優先発呼するように制御することを特徴とする付記１乃至４のいずれか１項に記載の通信システム。
【００６０】
（付記７）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されていない場合には、前記回線を使用中の電話機をビジー処理し、前記発信要求の電話機の発信を優先発呼することを特徴とする付記１乃至６のいずれか１項に記載の通信システム。
【００６１】
（付記８）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されている場合には、前記発信要求の電話機をビジー処理し、前記回線を使用中の電話機の通話を継続することを特徴とする付記１乃至６のいずれか１項に記載の通信システム。
【００６２】
（付記９）前記発信要求の電話機に前記回線の優先使用が設定されていない場合、当該発信要求の電話機をビジー処理し、前記回線を使用中の電話機の通話を継続することを特徴とする付記７又は８に記載の通信システム。
【００６３】
（付記１０）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、前記発信要求の電話機の優先順位が前記回線を使用中の電話機の優先順位より高い場合には、前記回線を使用中の電話機をビジー処理し、前記発信要求の電話機の発信を優先発呼することを特徴とする付記１乃至６のいずれか１項に記載の通信システム。
【００６４】
（付記１１）前記発信要求の電話機に前記回線の優先使用が設定されていない場合、当該発信要求の電話機をビジー処理し、前記回線を使用中の電話機の通話を継続することを特徴とする付記１０に記載の通信システム。
【００６５】
（付記１２）少なくとも１つの回線を収容すると共に複数の電話機が接続され、前記複数の電話機の発着信を制御する通信装置と、
前記複数の電話機のうちの少なくとも一部の電話機にそれぞれ対応して設けられ、外部に接続されたスイッチにより前記電話機の前記回線の優先使用が設定される接点と、を有する通信システムの制御方法であって、
前記接点で優先される電話機からの発信要求時に前記回線が使用中の場合に、前記回線を強制切断し、前記接点で優先される電話機からの発信要求を優先発呼するように制御することを特徴とする通信システムの制御方法。
【００６６】
（付記１３）前記複数の電話機のうち前記接点で優先される電話機以外の電話機からの発信要求時には、前記回線が全て使用中に当該電話機からの発信は優先発呼されないことを特徴とする付記１２に記載の通信システムの制御方法。
【００６７】
（付記１４）前記接点には、予め優先順位が決められ、前記スイッチにより複数の電話機に同時に前記回線の優先使用が設定された場合には、優先順位の高い接点に対応する電話機に前記回線の優先使用が設定されることを特徴とする付記１２又は１３に記載の通信システムの制御方法。
【００６８】
（付記１５）前記接点により前記同時に複数の電話機に前記回線の優先使用が設定されている場合、前記回線の優先使用が設定されていない他の電話機の優先順位は、前記同時に回線の優先使用が設定された電話機より低いことを特徴とする付記１４に記載の通信システムの制御方法。
【００６９】
（付記１６）前記通信装置に非常通報時にオン又はオフする非常通報用接点を有する非常通報装置が接続され、前記非常通報用接点により前記非常通報装置から非常通報が発信された場合には、前記非常通報装置に対応する前記接点が連動して動作し、前記制御手段は前記非常通報装置からの非常通報を優先発呼するように制御することを特徴とする付記１２乃至１５のいずれか１項に記載の通信システムの制御方法。
【００７０】
（付記１７）前記通信装置に非常通報の際に前記接点を動作させて非常通報を発信する非常通報装置が接続され、前記非常通報装置から非常通報が発信された場合には、前記非常通報装置に対応する前記接点が動作し、前記制御手段は前記非常通報装置からの非常通報を優先発呼するように制御することを特徴とする付記１２乃至１５のいずれか１項に記載の通信システムの制御方法。
【００７１】
（付記１８）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されていない場合には、前記回線を使用中の電話機をビジー処理し、前記発信要求の電話機の発信を優先発呼することを特徴とする付記１２乃至１７のいずれか１項に記載の通信システムの制御方法。
【００７２】
（付記１９）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されている場合には、前記発信要求の電話機をビジー処理し、前記回線を使用中の電話機の通話を継続することを特徴とする付記１２乃至１７のいずれか１項に記載の通信システムの制御方法。
【００７３】
（付記２０）前記発信要求の電話機に前記回線の優先使用が設定されていない場合、当該発信要求の電話機をビジー処理し、前記回線を使用中の電話機の通話を継続することを特徴とする付記１８又は１９に記載の通信システムの制御方法。
【００７４】
（付記２１）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、前記発信要求の電話機の優先順位が前記回線を使用中の電話機の優先順位より高い場合には、前記回線を使用中の電話機をビジー処理し、前記発信要求の電話機の発信を優先発呼することを特徴とする付記１２乃至１７のいずれか１項に記載の通信システムの制御方法。
【００７５】
（付記２２）前記発信要求の電話機に前記回線の優先使用が設定されていない場合、当該発信要求の電話機をビジー処理し、前記回線を使用中の電話機の通話を継続することを特徴とする付記２１に記載の通信システムの制御方法。
【００７６】
（付記２３）少なくとも１つの回線を収容すると共に複数の電話機が接続され、前記複数の電話機の発着信を制御する通信装置と、
前記複数の電話機のうちの少なくとも一部の電話機にそれぞれ対応して設けられ、外部に接続されたスイッチにより前記電話機の前記回線の優先使用が設定される接点と、を有する通信システムのプログラムであって、
前記通信システムを、
前記接点で優先される電話機からの発信要求時に前記回線が使用中の場合に、前記回線を強制切断し、前記接点で優先される電話機からの発信要求を優先発呼するように制御する制御手段と、
して機能させるためのプログラム。
【００７７】
（付記２４）前記複数の電話機のうち前記接点で優先される電話機以外の電話機からの発信要求時には、前記回線が全て使用中に当該電話機からの発信は優先発呼されないことを特徴とする付記２３に記載のプログラム。
【００７８】
（付記２５）前記接点には、予め優先順位が決められ、前記スイッチにより複数の電話機に同時に前記回線の優先使用が設定された場合には、優先順位の高い無電圧接点に対応する電話機に前記回線の優先使用が設定されることを特徴とする付記２３又は２４に記載のプログラム。
【００７９】
（付記２６）前記接点により前記同時に複数の電話機に前記回線の優先使用が設定されている場合、前記回線の優先使用が設定されていない他の電話機の優先順位は、前記同時に回線の優先使用が設定された電話機より低いことを特徴とする付記２５に記載のプログラム。
【００８０】
（付記２７）前記通信装置に非常通報時にオン又はオフする非常通報用接点を有する非常通報装置が接続され、前記非常通報用接点により前記非常通報装置から非常通報が発信された場合には、前記非常通報装置に対応する前記接点が連動して動作し、前記制御手段は前記非常通報装置からの非常通報を優先発呼するように制御することを特徴とする付記２３乃至２６のいずれか１項に記載のプログラム。
【００８１】
（付記２８）前記通信装置に非常通報の際に前記無電圧接点を動作させて非常通報を発信する非常通報装置が接続され、前記非常通報装置から非常通報が発信された場合には、前記非常通報装置に対応する前記接点が動作し、前記制御手段は前記非常通報装置からの非常通報を優先発呼するように制御することを特徴とする付記２３乃至２６のいずれか１項に記載のプログラム。
【００８２】
（付記２９）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されていない場合には、前記回線を使用中の電話機をビジー処理し、前記発信要求の電話機の発信を優先発呼することを特徴とする付記２３乃至２６のいずれか１項に記載のプログラム。
【００８３】
（付記３０）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、当該発信要求の電話機の優先順位より前記回線を使用中の電話機の優先順位が高い場合には、前記回線を使用中の電話機に前記回線の優先使用が設定されているかを判定し、前記回線を使用中の電話機に前記回線の優先使用が設定されている場合には、前記発信要求の電話機をビジー処理し、前記回線を使用中の電話機の通話を継続することを特徴とする付記２３乃至２６のいずれか１項に記載のプログラム。
【００８４】
（付記３１）前記発信要求の電話機に前記回線の優先使用が設定されていない場合、当該発信要求の電話機をビジー処理し、前記回線を使用中の電話機の通話を継続することを特徴とする付記２９又は３０に記載のプログラム。
【００８５】
（付記３２）前記回線優先使用設定用の接点には予め前記回線を使用する優先順位が決められ、前記制御手段は、前記回線が使用中に前記複数の電話機のうちいずれかの電話機からの発信要求時に、当該発信要求の電話機に前記回線の優先使用が設定され、且つ、前記発信要求の電話機の優先順位が前記回線を使用中の電話機の優先順位より高い場合には、前記回線を使用中の電話機をビジー処理し、前記発信要求の電話機の発信を優先発呼することを特徴とする付記２３乃至２６のいずれか１項に記載のプログラム。
【００８６】
（付記３３）前記発信要求の電話機に前記回線の優先使用が設定されていない場合、当該発信要求の電話機をビジー処理し、前記回線を使用中の電話機の通話を継続することを特徴とする付記３２に記載のプログラム。
【符号の説明】
【００８７】
１００  通信装置
１１０  電話機Ａ
１２０  電話機Ｂ
１３０  センサＡ
１４０  センサＢ
１５０  電話回線
１６０  非常通報装置
【図１】
0005193261.tif 000002
【図２】
0005193261.tif 000003
【図３】
0005193261.tif 000004
【図４】
0005193261.tif 000005
【図５】
0005193261.tif 000006
【図６】
0005193261.tif 000007
【図７】
0005193261.tif 000008
【図８】
0005193261.tif 000009